(57)【要約】【課題】コストアップ抑制及び低消費電力化を実現しながら、熱負荷が発生した際における貯蔵品の温度上昇を安定的に抑制する冷凍冷蔵庫を提供することを目的としている。【解決手段】制御部は、圧縮機を駆動してから停止するまでを１つの運転サイクルとしたとき、当該運転サイクル中で圧縮機の速度を第１の起動速度から段階的に上昇させるものであって、圧縮機の速度が所定の速度に達した場合には、当該所定の速度に達した運転サイクルの次の運転サイクルの圧縮機の起動速度を、第１の起動速度よりも速い第２の起動速度にする。【選択図】図４
2014031947.tif 000002
【特許請求の範囲】
【請求項１】
貯蔵品を冷凍する冷凍室を有する冷凍冷蔵庫において、
インバータ制御され、多段階に変速可能な圧縮機と、
前記冷凍室の温度を検出する冷凍室温度センサーと、
前記冷凍室温度センサーの検出結果が設定下限値以下になると前記圧縮機を停止させ、設定上限値以上になると前記圧縮機を駆動させる制御部と、
を有し、
前記制御部は、
前記圧縮機を駆動してから停止するまでを１つの運転サイクルとしたとき、当該運転サイクル中で前記圧縮機の速度を第１の起動速度から段階的に上昇させるものであって、
前記圧縮機の速度が所定の速度に達した場合には、
当該所定の速度に達した前記運転サイクルの次の運転サイクルの前記圧縮機の起動速度を、前記第１の起動速度よりも速い第２の起動速度にする
ことを特徴とする冷凍冷蔵庫。
【請求項２】
前記制御部は、
前記圧縮機の速度が前記所定の速度に達し、前記圧縮機の前記起動速度を前記第２の起動速度とした場合であって、
前記運転サイクルの運転時間が所定の時間以内であった場合には、
当該所定の時間以内であった前記運転サイクルの次の運転サイクルの前記圧縮機の前記起動速度を前記第１の起動速度に戻す
ことを特徴とする請求項１に記載の冷凍冷蔵庫。
【請求項３】
前記冷凍冷蔵庫の設置される空間の温度を検出する外気温度センサーを有し、
前記制御部は、
前記外気温度センサーにより検出される温度に基づいて前記第１の起動速度の値を決定する
ことを特徴とする請求項１又は２に記載の冷凍冷蔵庫。
【請求項４】
貯蔵品を冷蔵する冷蔵室を有し、
前記制御部は、
前記冷蔵室及び前記冷凍室の温度設定に基づいて前記第１の起動速度の値を決定する
ことを特徴とする請求項１〜３のいずれか一項に記載の冷凍冷蔵庫。
【請求項５】
貯蔵品を冷凍する冷凍室を有する冷凍冷蔵庫において、
多段階に変速可能な送風ファンと、
前記冷凍室の温度を検出する冷凍室温度センサーと、
前記冷凍室温度センサーの検出結果が設定下限値以下になると前記送風ファンを停止させ、設定上限値以上になると前記送風ファンを駆動させる制御部と、
を有し、
前記制御部は、
前記送風ファンを駆動してから停止するまでを１つの運転サイクルとしたとき、当該運転サイクル中で前記送風ファンの速度を第１の起動速度から段階的に上昇させるものであって、
前記送風ファンの速度が所定の速度に達した場合には、
当該所定の速度に達した前記運転サイクルの次の運転サイクルの前記送風ファンの起動速度を、前記第１の起動速度よりも速い第２の起動速度にする
ことを特徴とする冷凍冷蔵庫。
【請求項６】
前記制御部は、
前記送風ファンの速度が前記所定の速度に達し、前記送風ファンの前記起動速度を前記第２の起動速度とした場合であって、
前記運転サイクルの運転時間が所定の時間以内であった場合には、
当該所定の時間以内であった前記運転サイクルの次の運転サイクルの前記送風ファンの前記起動速度を前記第１の起動速度に戻す
ことを特徴とする請求項５に記載の冷凍冷蔵庫。
【請求項７】
前記冷凍冷蔵庫の設置される空間の温度を検出する外気温度センサーを有し、
前記制御部は、
前記外気温度センサーにより検出される温度に基づいて前記第１の起動速度の値を決定する
ことを特徴とする請求項５又は６に記載の冷凍冷蔵庫。
【請求項８】
貯蔵品を冷蔵する冷蔵室を有し、
前記制御部は、
前記冷蔵室及び前記冷凍室の温度設定に基づいて前記第１の起動速度の値を決定する
ことを特徴とする請求項５〜７のいずれか一項に記載の冷凍冷蔵庫。
【発明の詳細な説明】
【技術分野】
【０００１】
本発明は、冷凍冷蔵庫に関するものである。
【背景技術】
【０００２】
箱体断熱材性能の改善、圧縮機速度に関するインバータ制御及びフィードバック制御の導入などにより、冷蔵庫の低消費電力化が図られている。たとえば箱体断熱材においては、真空断熱パネルを箱体内に埋設しウレタン発泡することで飛躍的な断熱性能の改善が行われ、箱体から漏洩する熱量を低減できる。これにより、貯蔵品（食品など）の温度維持に必要な冷却能力も小さくすることが可能となり、冷却能力に直結する圧縮機の低速化や最適化などが図られている。
【０００３】
ここで言う圧縮機速度の最適化とは、冷蔵庫にかかる様々な熱負荷に応じて、圧縮機の速度を多段階に変化させ、圧縮機の低消費電力化を図ることを指す。なお、熱負荷としては、たとえば庫内に貯蔵品を保存するときの扉開閉に伴う外気侵入や保存した貯蔵品温度の熱的影響、冷蔵庫周囲の温度による熱的影響などが挙げられる。
【０００４】
庫内ファン（送風ファン）においても同様で、速度を多段階に設定することで負荷に応じてきめ細かい制御を行うことが可能となる。すなわち、低負荷時は必要最小な速度で圧縮機または庫内ファンを運転させ、高負荷時は貯蔵品の温度上昇を抑制するための必要最小な速度（低負荷時よりは比較的高め）で圧縮機または庫内ファンを運転させることで無駄な電気的エネルギーを省き、低消費電力化を図ることができる。
【０００５】
圧縮機速度の多段階制御として、圧縮機の起動速度を外気温度センサーで検出される外気温度に基づいて決定し、圧縮機運転中に所定の時間を経過すれば１ランク上の速度に段階的に変速していく制御が提案されている（たとえば、特許文献１参照）。
【０００６】
また、圧縮機停止直前の圧縮機速度から再起動する際の圧縮機起動速度をＰＩＤ計算などにより算出して指定することで、前回運転で負荷が高くなった場合でも再起動時に圧縮機速度の調整を行うことで貯蔵品の温度を上げないようにする制御方法が提案されている（たとえば、特許文献２参照）。
【０００７】
さらに、圧縮機停止中において設定された温度と検出された温度差が大きい場合に、再起動時の圧縮機速度を変速する制御方法が提案されている（たとえば、特許文献３参照）。
【先行技術文献】
【特許文献】
【０００８】
【特許文献１】特許第４０３２８１９号公報（たとえば、図１６参照）
【特許文献２】特許第４１４１７６２号公報（たとえば、請求項１及び段落［００３２］〜［００３４］参照）
【特許文献３】特開平１−４９８５１号公報（たとえば、特許請求の範囲参照）
【発明の概要】
【発明が解決しようとする課題】
【０００９】
特許文献１に記載の技術は、圧縮機運転中に所定の時間を経過すれば１ランク上の速度に段階的に変速していくものである。圧縮機運転中に扉を頻繁に開けたり、温度の高い貯蔵品などを保存したりすると、圧縮機の運転時間が長くなり、圧縮機速度が比較的高いランクまで達してから圧縮機が停止する場合がある。
特許文献１に記載の技術では、次回の圧縮機起動速度は、また元の起動速度から上昇していくこととなるため、冷却能力が小さくなってしまう。すなわち、特許文献１に記載の技術では、冷却能力が小さくなり、庫内に保存する貯蔵品の温度を下げるのに時間がかかる、又は温度は下がりきらず、貯蔵品の温度上昇を安定的に抑制しにくいという課題があった。
【００１０】
ここで、庫内の貯蔵品の温度が下がりきらないのに圧縮機が停止してしまう、つまりは冷却を止めてしまうのは、圧縮機は冷凍室内に設置された温度センサーの温度が低下するためであるからである。これは、一般に温度センサーよりも、貯蔵品の熱容量が小さいため、温度センサー自体が冷えやすいことに起因している。
また、もちろん圧縮機が停止してしまっている分の冷却停止もあるため、このような場合再起動時の直後からは、冷却能力を増大させることで貯蔵品の温度上昇を抑制することが望ましい。
【００１１】
特許文献２に記載の技術では、ＰＩＤ計算などをするため制御仕様プログラムが複雑となって開発コストがかかるという課題がある。
また、特許文献２に記載の技術では、圧縮機停止直前での負荷判定となるため圧縮機停止までは負荷状態が即座にわからず、圧縮機が停止する前までの運転状態の中での負荷対応処理ができないという課題があった。
【００１２】
特許文献３に記載の技術では、圧縮機停止中の温度で再起動時の圧縮機速度を決定することができるが、負荷状態は圧縮機停止中以外でも高い場合がある。すなわち、特許文献３に記載の技術は、特許文献２と同様に、圧縮機が停止する前までの運転状態の中での負荷対応処理ができないという課題があった。
【００１３】
本発明は、上記のような課題のうちの少なくとも１つを解決するためになされたもので、コストアップ抑制及び低消費電力化を実現しながら、熱負荷が発生した際における貯蔵品の温度上昇を安定的に抑制する冷凍冷蔵庫を提供することを目的としている。
【課題を解決するための手段】
【００１４】
本発明に係る冷凍冷蔵庫は、貯蔵品を冷凍する冷凍室を有する冷凍冷蔵庫において、インバータ制御され、多段階に変速可能な圧縮機と、冷凍室の温度を検出する冷凍室温度センサーと、冷凍室温度センサーの検出結果が設定下限値以下になると圧縮機を停止させ、設定上限値以上になると圧縮機を駆動させる制御部と、を有し、制御部は、圧縮機を駆動してから停止するまでを１つの運転サイクルとしたとき、当該運転サイクル中で圧縮機の速度を第１の起動速度から段階的に上昇させるものであって、圧縮機の速度が所定の速度に達した場合には、当該所定の速度に達した運転サイクルの次の運転サイクルの圧縮機の起動速度を、第１の起動速度よりも速い第２の起動速度にするものである。
【発明の効果】
【００１５】
本発明に係る冷凍冷蔵庫は、圧縮機の速度が所定の速度に達した場合には、当該所定の速度に達した運転サイクルの次の運転サイクルの圧縮機の起動速度を、第１の起動速度よりも高い第２の起動速度にするので、コストアップ抑制及び低消費電力化を実現しながら、熱負荷が発生した際における貯蔵品の温度上昇を安定的に抑制することができる。
【図面の簡単な説明】
【００１６】
【図１】本発明の実施の形態１に係る冷凍冷蔵庫の正面図である。
【図２】図１に示す冷凍冷蔵庫のＡ−Ａ断面図である。
【図３】本発明の実施の形態１に係る冷凍冷蔵庫の温度操作パネルの斜視図である。
【図４】本発明の実施の形態１に係る圧縮機起動速度の決定方法のフローチャートである。
【図５】小さな負荷が生じた場合における圧縮機速度、冷凍室温度センサーの検出温度Ｔｆ、及び冷凍室に保存される貯蔵品の温度の時間変化である。
【図６】大きな負荷が生じた場合における圧縮機速度、冷凍室温度センサーの検出温度Ｔｆ、及び冷凍室に保存される貯蔵品の温度の時間変化である。
【図７】本発明の実施の形態１に係る速度制御を実施せず、大きな負荷が生じた場合における圧縮機速度、冷凍室温度センサーの検出温度Ｔｆ、及び冷凍室に保存される貯蔵品の温度の時間変化である。
【図８】図４の圧縮機起動速度の決定方法の変形例である。
【図９】本発明の実施の形態２に係る送風ファン起動速度の決定方法のフローチャートである。
【図１０】小さな負荷が生じた場合における送風ファン速度、冷凍室温度センサーの検出温度Ｔｆ、及び冷凍室に保存される貯蔵品の温度の時間変化である。
【図１１】大きな負荷が生じた場合における送風ファン速度、冷凍室温度センサーの検出温度Ｔｆ、及び冷凍室に保存される貯蔵品の温度の時間変化である。
【図１２】本発明の実施の形態２に係る速度制御を実施せず、大きな負荷が生じた場合における送風ファン速度、冷凍室温度センサーの検出温度Ｔｆ、及び冷凍室に保存される貯蔵品の温度の時間変化である。
【図１３】図９の圧縮機起動速度の決定方法の変形例である。
【発明を実施するための形態】
【００１７】
以下、本発明の実施の形態を図面に基づいて説明する。
実施の形態１．
図１は、実施の形態１に係る冷凍冷蔵庫１００の正面図である。図２は、図１に示す冷凍冷蔵庫１００の点線Ａ−Ａにおける断面図である。図３は、実施の形態１に係る冷凍冷蔵庫１００の温度操作パネル８の斜視図である。図１〜図３を参照して、冷凍冷蔵庫１００の概要構成について説明する。                   
本実施の形態に係る冷凍冷蔵庫１００は、省エネルギー性を実現しながら、熱負荷が発生した際における貯蔵品の温度上昇を抑制する制御方法を採用する改良が加えられているものである。
【００１８】
［構成説明］
冷凍冷蔵庫１００は、本体上部から冷蔵室１、製氷室２及び切替室３、冷凍室４、及び野菜室５を有している。各部屋は、断熱仕切り壁６によって仕切られている。また、冷蔵室扉７表面には、各室庫内温度を調節できる温度操作パネル８（図３参照）が設置されており、その中の基板９上に外気温度を検知する外気温度センサー１０が搭載されている。
【００１９】
冷凍冷蔵庫１００は、冷蔵室扉７に設置された温度操作パネル８のボタン５４を押すことで温度調整したい部屋を選択し、ボタン５５を押すことで温度を弱、中、強などのように各室の温度調整をすることができる。
冷蔵室１の温度調整では、温度操作パネル８に設置されたボタン５５を押して、たとえば、弱（約６℃）、中（約３℃）、強（約１℃）に選択できる。冷凍室４も同様に、ボタン５５を押して、たとえば、弱（約−１６℃）、中（約−１８℃）、強（約−２０℃）に選択できる。冷蔵室１及び冷凍室４は、このように３段階の温度調整が可能であることに限定されるものではなく、たとえば４段階以上としてもよいが、本実施の形態１では、３段階であるものとして説明する。
切替室３は、ボタン５５を押すことで、たとえば、切替室３温度を２週間程度の冷凍保存に適した約−７℃の弱めの冷凍、１ヶ月程度の冷凍保存に適した約−１８℃の通常冷凍の２段階に選択することが可能となっている。
【００２０】
冷凍冷蔵庫１００は、その外郭が内箱及び外箱から構成されているが、この内箱と外箱との間には断熱材２８（ウレタン発泡材）が充填されている。さらに、冷凍冷蔵庫両側面（図示省略）や背面、天井面、扉内部の断熱材部分などには、熱漏洩を抑制するための真空断熱パネル１３が設置されている。真空断熱パネル１３は、庫内の部屋を囲むように断熱材２８の内部に配置される。
【００２１】
冷蔵室１の背面上部には、冷凍冷蔵庫１００に使用されている電気部品の制御を行うマイコンなどが設けられた基板を有する制御部１２が収納されている。この制御部１２は、各室に設置された温度センサーにより検出される「信号」を演算処理して「温度」に変換し、その温度に基づいてさまざまな制御を行っている。なお、以下の説明では、温度センサーにより検出される「信号」を、演算処理された「温度」として捉えて説明するものとする。
制御部１２は、冷凍室温度センサー５３により検出される温度Ｔｆから圧縮機２５の運転、停止などの処理を行ったり、切替室３に設置された切替室温度センサー５２により検出される温度から切替室用ダンパー装置２７のバッフル（図示せず）の開閉処理を行ったりするものである。
【００２２】
冷蔵室１の下部の上部冷凍室は、左右が独立した部屋を有している。すなわち、冷蔵室１は、本体左側に自動製氷機（図示せず）を備えた製氷室２、右側に切替室３が設けられている。左側の製氷室２には、引き出し式の扉が前後に移動可能に設けられ、製氷室２内に製氷室ケース１４が設けられている。また、右側の切替室３には、引き出し式の扉が前後に移動可能に設けられ、切替室３内に切替室ケース１５が設けられている。ファングリル１６と内箱１７との間には冷却器１８があり、冷却器１８の下には除霜ヒーター１９及び排水管２０があり、除霜水は内箱１７に埋設された排水管２０によって冷凍冷蔵庫背面下の圧縮機２５上に設置された蒸発皿２１へ排出される。
【００２３】
冷凍室４には、たとえば１ヶ月ほどの長期保存を目安とした下部大型貯蔵ケース２２と、下部大型貯蔵ケース２２に形成されたフランジ（図示省略）に設置される浅底の上部浅底ケース２３とが設けられている。
冷凍室４の奥側には、製氷室２、切替室３及び冷凍室４の温度調整を行うためのファングリル１６が設けられている。ファングリル１６は、送風ファン２４、冷蔵室用ダンパー装置２６及び切替室用ダンパー装置２７を有し、製氷室２、切替室３の上部から冷凍室４の下部にかけて設けられているものである。
制御部１２は、製氷室２、切替室３及び冷凍室４に設置された温度センサーの検出結果に基づいて、冷蔵室用ダンパー装置２６及び切替室用ダンパー装置２７のバッフルを開閉させる。これにより、製氷室２、切替室３及び冷凍室４の温度調整をすることができるようになっている。
なお、圧縮機２５の運転・停止を決定する際の温度を検知する冷凍室温度センサー５３は、冷凍室４の奥のファングリル１６の表面に設置される。
【００２４】
野菜室５は、冷蔵室１よりもわずかに高温であるが、基本的には冷蔵温度帯の部屋であり、冷凍冷蔵庫１００の一番下側に設けられている。野菜室５には、大きめな野菜などを収納する下部収納ケース２９と、下部収納ケース２９に形成されたフランジ（図示省略）に載置して設置され、下部収納ケース２９よりも浅底な、葉物野菜や小物野菜を保管するのに便利な上部収納ケース３０とが設けられている。
野菜室５の冷却には、本体上部に設置される冷蔵室戻り風路３１が利用される。
冷蔵室戻り風路３１は、切替室３の背面右奥、冷凍室４の背面右奥を下方に通過し、野菜室５右奥に出てきて野菜室５天井部につながり、野菜室５中央奥へときて冷却器室へと繋がっている。この冷蔵室戻り風路３１内を流れる冷気は冷蔵温度帯であるため、冷蔵室戻り風路３１と野菜室５との間には断熱構成は必要ないが、冷蔵室戻り風路３１と冷却器１８との間には着霜による風路閉塞を防止するために断熱構成が必要である（図示省略）。
【００２５】
冷蔵室１は、複数個の樹脂製又はガラス製の棚４３〜４５で区画されている。なお、本実施の形態１では棚が３個設けられた例を図示している。一番下の棚４５の下には、小物収納ケース４６が設置され、上部棚よりも１〜２（℃）低目の温度となっている。これは冷蔵室冷気の戻り口が小物収納ケース４６下に設置されており、低温の冷気は常温の空気よりも浮力が小さいため下方に滞留しやすく、冷蔵室１の下部は若干温度が低目となるからである。
【００２６】
冷蔵室扉７には、複数個のポケット５７が取り付けられている。冷蔵室扉７には、冷蔵室扉７を開放時の回動スペースが小さい冷凍冷蔵庫中央で分割されるものや、冷凍冷蔵庫幅が比較的小さい（およそ６０ｃｍ未満）ため分割しないで一枚で構成されるものなどがある。本実施の形態１では、図１において、冷蔵室扉７が冷凍冷蔵庫中央で分割される場合を例に示している。
【００２７】
冷蔵室１の奥側には、冷蔵室１の奥側の下部から供給される冷気を、冷蔵室１の棚４３〜４５で区画された空間に分配するコントロールパネル４７が設置されている。コントロールパネル４７は、意匠面側(冷蔵室１側)に設けられた樹脂部品４８と、この樹脂部品４８の奧側に設けられた発泡ダクト部品４９とで構成されている。発泡ダクト部品４９には、冷蔵室用ダンパー装置２６を介して供給された第一のダクト部５０内の冷気を、冷蔵室１内に取り入れるために風路孔５６が設けられている。
【００２８】
なお、冷蔵室１の温度を検出する冷蔵室温度センサー５１は、冷蔵室１の高さ位置の中程に設けられている。より詳細には、冷蔵室温度センサー５１は、冷蔵室１の平均的な温度を検出することができるように、樹脂部品４８のうちの棚４５と棚４４との間の位置に設けられている。
【００２９】
冷凍冷蔵庫１００の背面下部には、インバータ制御対応の圧縮機２５が搭載されている。
圧縮機２５は、後述する表１〜表４に示すように、冷蔵室１及び冷凍室４の温度設定と、外気温度ＡＴとに基づいて、速度（回転数）が決定される。圧縮機２５は、制御部１２に電気的に接続されており、制御部１２の制御信号に基づいて動作する。
【００３０】
本実施の形態１において、部屋の配置、圧縮機２５の配置位置などは、図１及び図２に示すような態様に限定されるものではなく、製氷室２や切替室３がなかったり、圧縮機２５の配置位置が図面とは異なっていてもよい。
さらに、温度操作パネル８は、冷凍冷蔵庫１００の外側に設置されている場合を例に説明したがそれに限定されるものではない。たとえば、意匠性を考慮して、冷蔵室１内に設置してもよい。この場合には、冷蔵室扉７の上側ヒンジ装置部１１に外気温度センサー１０を設置することもできる。
【００３１】
［圧縮機２５の動作について］
次に、以下の表１〜４に基づいて、圧縮機２５の動作について説明する。ここで、表１は圧縮機速度ランクを示し、表２は冷蔵室・冷凍室温度のランク設定を示している。また、表３は温度ランクによる外気温度センサー１０により検出される温度ごとの圧縮機２５の起動速度設定を示し、表４は温度ランクによる圧縮機２５の変速時間を示している。
なお、各表における数値について、本実施の形態１では冷凍冷蔵庫１００の庫内容積が５２０Ｌ、圧縮機の気筒容積（ストロークボリューム  自動車のエンジンで言えば排気量に相当）が１０（ｃｃ）、真空断熱パネル１３の設置数や設置位置が変わることにより数値も変更される。
【００３２】
【表１】
2014031947.tif 000003
【００３３】
表１に示すように、制御部１２は、圧縮機２５の使用速度ランクとして、Ｃ１（２０Ｈｚ）〜Ｃ１０（８０Ｈｚ）の１０段階を設定することができるようになっている。ここで、Ｃ１速度〜Ｃ６速度の速度ランクを負荷が低い側である低負荷ランクと定義し、Ｃ７速度以上の速度ランクを負荷が高い側である高負荷ランクと定義する。
【００３４】
【表２】
2014031947.tif 000004
【００３５】
冷凍冷蔵庫１００は、上述したように、冷蔵室１及び冷凍室４の温度設定をユーザーが温度操作パネル８で選択することができるようになっている。そして、表２に示すように、冷蔵室１と冷凍室４の温度設定の組み合わせを温度ランクと定義し、Ｈ設定、Ｍ設定、Ｌ設定に分類される。Ｍ設定と比較するとＨ設定は温度が高く、Ｌ設定は温度が低い設定である。すなわち、温度ランクは、Ｈ設定よりもＭ設定が小さく、Ｍ設定よりもＬ設定の方が小さい。冷蔵室１及び冷凍室４の冷却を、たとえば「弱」と選択した場合には、表２より、Ｈ設定となる。
【００３６】
【表３】
2014031947.tif 000005
【００３７】
冷凍冷蔵庫１００は、外気温度ＡＴを検出する外気温度センサー１０の検出結果に基づいて、Ｈ設定、Ｍ設定、及びＬ設定時における圧縮機２５の起動速度（以下、圧縮機起動速度とも称する）を決定する。
表３では、外気温度ＡＴの閾値として２０（℃）を採用した例を示している。たとえば、外気温度ＡＴが２０（℃）以上である場合には、Ｈ設定の時の圧縮機起動速度をＣ３とし、Ｍ設定の時の圧縮機起動速度をＣ４とし、Ｌ設定の時の圧縮機起動速度をＣ５とする。そして、外気温度ＡＴが２０（℃）未満である場合には、各室内に伝達される熱が小さくなる分、圧縮機起動速度が小さく設定されている。
【００３８】
外気温度ＡＴが高いほど、また、温度ランクが小さい設定であるほど、庫内と外気との温度差が大きくなり冷凍冷蔵庫１００の熱漏洩量が大きくなる。このため、より大きな冷却能力が必要となる。
冷却能力は冷却器の通風量と、冷却器と被冷却物の温度差に依存するため、ここでは冷却器温度を下げる（被冷却物との温度差を大きくする）目的で圧縮機速度を上げ冷却器温度を下げて冷却能力を上げている。
【００３９】
【表４】
2014031947.tif 000006
【００４０】
表４は、圧縮機２５が起動してからの１ランク上の速度に移行するまでの変速時間を示している。なお、この変速時間は、温度ランク（Ｈ、Ｍ、Ｌ）及び負荷ランク（Ｃ１〜Ｃ１０）に応じて変えている。
【００４１】
［圧縮機起動速度の決定方法について］
図４は、実施の形態１における圧縮機起動速度の決定方法のフローチャートである。なお、圧縮機起動速度とは、圧縮機２５の起動時における速度のことを指す。図４を参照して、圧縮機２５の起動時における速度の決定方法についてステップごとに説明する。
【００４２】
（ステップＳ０）  
制御部１２は、圧縮機起動速度の決定をする制御を実施する。
（ステップＳ１）  
制御部１２は、冷凍室温度センサー５３の検出結果が、Ｔｏｎ以下であるか否かを判定する。
（ステップＳ２）  
制御部１２は、圧縮機２５の運転を停止する。冷凍室温度センサー５３の検出結果がＴｏｎ以下であり、冷凍室４が冷やされているためである。
【００４３】
（ステップＳ３）  
制御部１２は、冷凍室４の温度設定が、強、中、弱のいずれかであるかを判定する。
冷凍室４の温度設定が強である場合には、ステップＳ６に移行する。
冷凍室４の温度設定が中である場合には、ステップＳ４に移行する。
冷凍室４の温度設定が弱である場合には、ステップＳ５に移行する。
（ステップＳ４）  
制御部１２は、冷蔵室１の温度設定が、強であるか否かを判定する。
冷蔵室１の温度設定が強である場合には、ステップＳ６に移行する。
冷蔵室１の温度設定が強でない場合には、ステップＳ７に移行する。
（ステップＳ５）  
制御部１２は、冷蔵室１の温度設定が、強、中、弱のいずれかであるかを判定する。
冷蔵室１の温度設定が強である場合には、ステップＳ６に移行する。
冷蔵室１の温度設定が中である場合には、ステップＳ７に移行する。
冷蔵室１の温度設定が弱である場合には、ステップＳ８に移行する。
【００４４】
（ステップＳ６）  
制御部１２は、温度ランクがＬ設定であると判定し、ステップＳ１０に移行する。
（ステップＳ７）  
制御部１２は、温度ランクがＭ設定であると判定し、ステップＳ２０に移行する。
（ステップＳ８）  
制御部１２は、温度ランクがＨ設定であると判定し、ステップＳ３０に移行する。
【００４５】
（ステップＳ１０）  
制御部１２は、外気温度ＡＴが２０℃以上であるか否かを判定する。
２０℃以上であると判定した場合には、ステップＳ１１に移行する。
２０℃以上でないと判定した場合には、ステップＳ１５に移行する。
（ステップＳ１１、ステップＳ１５）  
制御部１２は、前回サイクルにおいて、圧縮機２５の運転が高負荷ランク（Ｃ７速以上）の運転をしたか否かを判定する。
なお、サイクルとは、後述の図５の３つのサイクル及び図６の５つのサイクルを指している。したがって、前回サイクルとは、図５のサイクル３の制御時においては、１つ前のサイクルであるサイクル２を指す。
ステップＳ１１において、所定の速度Ｃ７速まで達した場合には、ステップＳ１２に移行する。また、所定の速度Ｃ７速まで達していない場合には、ステップＳ１４に移行する。
ステップＳ１５において、所定の速度Ｃ７速まで達した場合には、ステップＳ１６に移行する。また、所定の速度Ｃ７速まで達していない場合には、ステップＳ１８に移行する。
（ステップＳ１２、ステップＳ１６）  
制御部１２は、前回サイクルの運転時間が１３０分以上であるか否かを判定する。
ステップＳ１２において、運転時間が１３０分以上である場合には、ステップＳ１３に移行する。運転時間が１３０分以上でない場合には、ステップＳ１４に移行する。
ステップＳ１６において、運転時間が１３０分以上である場合には、ステップＳ１７に移行する。運転時間が１３０分以上でない場合には、ステップＳ１８に移行する。
【００４６】
（ステップＳ１３）  
制御部１２は、圧縮機起動速度をＣ６速に設定する。
（ステップＳ１４）  
制御部１２は、圧縮機起動速度をＣ５速に設定する。
（ステップＳ１７）  
制御部１２は、圧縮機起動速度をＣ６速に設定する。
（ステップＳ１８）  
制御部１２は、圧縮機起動速度をＣ３速に設定する。
【００４７】
（ステップＳ２０）  
制御部１２は、外気温度ＡＴが２０℃以上であるか否かを判定する。
２０℃以上であると判定した場合には、ステップＳ２１に移行する。
２０℃以上でないと判定した場合には、ステップＳ２５に移行する。
（ステップＳ２１、ステップＳ２５）  
制御部１２は、前回サイクルにおいて、圧縮機２５の運転が高負荷ランクの運転をしたか否かを判定する。
ステップＳ２１において、所定の速度Ｃ７速まで達した場合には、ステップＳ２２に移行する。また、所定の速度Ｃ７速まで達していない場合には、ステップＳ２４に移行する。
ステップＳ２５において、所定の速度Ｃ７速まで達した場合には、ステップＳ２６に移行する。また、所定の速度Ｃ７速まで達していない場合には、ステップＳ２８に移行する。
（ステップＳ２２、ステップＳ２６）  
制御部１２は、前回サイクルの運転時間が１３０分以上であるか否かを判定する。
ステップＳ２２において、運転時間が１３０分以上である場合には、ステップＳ２３に移行する。また、運転時間が１３０分以上でない場合には、ステップＳ２４に移行する。
ステップＳ２６において、運転時間が１３０分以上である場合には、ステップＳ２７に移行する。また、運転時間が１３０分以上でない場合には、ステップＳ２８に移行する。
【００４８】
（ステップＳ２３）  
制御部１２は、圧縮機起動速度をＣ６速に設定する。
（ステップＳ２４）  
制御部１２は、圧縮機起動速度をＣ４速に設定する。
（ステップＳ２７）  
制御部１２は、圧縮機起動速度をＣ６速に設定する。
（ステップＳ２８）  
制御部１２は、圧縮機起動速度をＣ２速に設定する。
【００４９】
（ステップＳ３０）  
制御部１２は、外気温度ＡＴが２０℃以上であるか否かを判定する。
２０℃以上であると判定した場合には、ステップＳ３１に移行する。
２０℃以上でないと判定した場合には、ステップＳ３５に移行する。
（ステップＳ３１、ステップＳ３５）  
制御部１２は、前回サイクルにおいて、圧縮機２５の運転が高負荷ランクの運転をしたか否かを判定する。
ステップＳ３１において、所定の速度Ｃ７速まで達した場合には、ステップＳ３２に移行する。また、所定の速度Ｃ７速まで達していない場合には、ステップＳ３４に移行する。
ステップＳ３５において、所定の速度Ｃ７速まで達した場合には、ステップＳ３６に移行する。また、所定の速度Ｃ７速まで達していない場合には、ステップＳ３８に移行する。
（ステップＳ３２、ステップＳ３６）  
制御部１２は、前回サイクルの運転時間が１３０分以上であるか否かを判定する。
ステップＳ３２において、運転時間が１３０分以上である場合には、ステップＳ３３に移行する。また、運転時間が１３０分以上でない場合には、ステップＳ３４に移行する。
ステップＳ３６において、運転時間が１３０分以上である場合には、ステップＳ３７に移行する。また、運転時間が１３０分以上でない場合には、ステップＳ３８に移行する。
【００５０】
（ステップＳ３３）  
制御部１２は、圧縮機起動速度をＣ６速に設定する。
（ステップＳ３４）  
制御部１２は、圧縮機起動速度をＣ３速に設定する。
（ステップＳ３７）  
制御部１２は、圧縮機起動速度をＣ６速に設定する。
（ステップＳ３８）  
制御部１２は、圧縮機起動速度をＣ１速に設定する。
【００５１】
ユーザーが冷蔵室扉に設置されたボタン５４、ボタン５５を操作し、温度ランク設定が変えられたり、外気温度が変動したりするが、このように温度ランクの設定や外気温度の変動があっても、基本的には圧縮機２５の速度が段階的に上昇する制御を採用している。
すなわち、本実施の形態１では、冷凍室温度センサー５３の検出温度Ｔｆが、圧縮機停止温度Ｔｏｆｆに達して圧縮機２５が停止するまでは、段階的に圧縮機２５の速度が上昇する。
【００５２】
たとえば、外気温度が２０℃以上、温度ランクがＬ設定であり、圧縮機２５がＣ５速で起動した場合に温度ランクの設定の変更や外気温度の変動があった場合を例に説明する。
【００５３】
まず、温度ランクの設定の変更があった場合について説明する。
運転中にユーザーが温度設定を変更しＨ設定になったときでも、圧縮機２５が停止するまではＣ５速からＣ６速・・・などといったように圧縮機２５の速度は段階的に移行する。圧縮機２５が停止した後に、冷凍室温度センサー５３の検出温度Ｔｆが、Ｔｏｎに達して圧縮機２５が起動する際までに温度ランクがＨ設定のままであったら次のように制御が移行する。すなわち、制御部１２は、ステップＳ０、ステップＳ１、ステップＳ３、ステップＳ５、ステップＳ８の順番に制御をし、ステップＳ３１にて前回サイクルの圧縮機２５の到達速度を判定し、ステップＳ３２にて前回サイクルの運転時間を判定し、圧縮機起動速度をＣ６速かＣ３速に決定する。
【００５４】
一方、外気温度ＡＴが変動する際も同じで、圧縮機２５が停止するまではＣ５速からＣ６速・・・などといったように圧縮機２５の速度は段階的に移行する。そして、圧縮機２５が停止した後に、冷凍室温度センサー５３の検出温度ＴｆがＴｏｎに達し、圧縮機２５が起動する際までに外気温度の変動がなければ圧縮機起動速度が同じように決定される。
【００５５】
なお、図４のＬ設定時において、ステップＳ１４の起動速度Ｃ５速及びステップＳ１８の起動速度Ｃ３速が第１の起動速度に対応し、ステップＳ１３及びＳ１７のＣ６速が第２の起動速度に対応している。
図４のＭ設定時において、ステップＳ２４の起動速度Ｃ４速及びステップＳ２８の起動速度Ｃ２速が第１の起動速度に対応し、ステップＳ２３及びＳ２７のＣ６速が第２の起動速度に対応している。
図４のＨ設定時において、ステップＳ３４の起動速度Ｃ３速及びステップＳ３８の起動速度Ｃ１速が第１の起動速度に対応し、ステップＳ３３及びＳ３７のＣ６速が第２の起動速度に対応している。
【００５６】
［負荷による圧縮機起動速度の変化］
図５は、小さな負荷が生じた場合における圧縮機速度、冷凍室温度センサーの検出温度、及び冷凍室に保存される貯蔵品（食品など）の温度の時間変化である。図４では、圧縮機起動速度の決定方法を説明したが、この決定方法に基づいて圧縮機起動速度が変化する様子について説明する。
なお、ここで述べる冷凍冷蔵庫にかかる負荷とは、たとえば、（１）扉開閉回数の多い・少ない、（２）１回の扉開閉に扉を開けている時間が長い・短い、（３）庫内に投入する貯蔵品の量が多い・少ない、（４）貯蔵品の温度が高い・低いなどの冷凍冷蔵庫使用時の変動要因によるものである。
また、（５）冷凍冷蔵庫周囲温度（外気温度）による熱影響（外気温度設定値に閾値がある）や、（６）冷凍冷蔵庫と周囲の壁などの距離（冷凍冷蔵庫の外箱内側に設置された放熱パイプの熱の籠もりによる周囲温度上昇）による熱影響などは、冷凍冷蔵庫１００を使用する上での環境条件となるため、ここで述べる負荷からは除外される。
【００５７】
図５において、圧縮機２５が起動して停止するまでの運転サイクルをそれぞれサイクル１、サイクル２及びサイクル３の３つに分けて説明する。
サイクル１は、扉が閉じたままであり外気侵入などがなく、負荷が加わっていない。
サイクル２は、扉が開放されて外気が庫内に侵入し、負荷が加わっている。
サイクル３は、サイクル２から引き続いて扉が開放されており負荷が加わっているが、サイクル３の途中で扉が閉じられて負荷が加わらなくなっている。
【００５８】
（サイクル１）
サイクル１では扉開閉による外気侵入などの負荷が加わっていない。このため、圧縮機は、冷凍室温度センサー５３の検出温度ＴｆがＴｏｎに達したときに表３に示す圧縮機速度Ｃ４速にて起動する。そして、起動してから所定の時間が経過、たとえば６０分経過後に一速高くＣ５速となって冷凍室温度センサー５３の検出温度ＴｆがＴｏｆｆに達したときに圧縮機２５が停止する。
【００５９】
（サイクル２）
サイクル２では、冷凍冷蔵庫に負荷が加わっている。この負荷は、低負荷であるため、圧縮機２５がＣ４速で起動する。そして、起動してからたとえば６０分経過後にＣ５速となる。さらに、６０分後にＣ６速まで達したところで冷凍室温度センサー５３の検出温度ＴｆがＴｏｆｆに達して圧縮機２５が停止する。
なお、冷凍室貯蔵品温度の最高温度は、負荷が加わっている分、サイクル１よりもサイクル２の方が若干高くなっている。この高くなった分をサイクル２では、余分に冷却する必要があり、圧縮機停止直前の冷凍室貯蔵品温度は、サイクル１の停止直前よりも若干高くなる。
【００６０】
（サイクル３）
サイクル３では、サイクル２と同様に負荷が加えられているが、この負荷は、低負荷であるため、圧縮機２５がＣ４速で起動する。そして、起動してからたとえば６０分経過後にＣ５速となる。さらに、６０分後にＣ６速まで達したところで冷凍室温度センサー５３の検出温度ＴｆがＴｏｆｆに達して圧縮機２５が停止する。
なお、サイクル３では、冷凍冷蔵庫にかかる負荷が、サイクル２から続くため、サイクル３での冷凍室貯蔵品温度の最高温度もサイクル１よりは高いものとなる。しかし、サイクル３の途中から冷凍冷蔵庫にかかる負荷がなくなるため、サイクル３の圧縮機停止直前では冷凍室貯蔵品温度はサイクル１とほぼ同じ温度まで低くすることができる。
このように、低負荷では、Ｃ４〜Ｃ６速程度の速度域でも、安定的に冷凍室貯蔵品温度を下げることができる。
【００６１】
図６は、大きな負荷が生じた場合における圧縮機速度、冷凍室温度センサー５３の検出温度Ｔｆ、及び冷凍室に保存される貯蔵品の温度の時間変化である。すなわち、図６では、図５よりも大きな負荷が加わったときの時間変化の説明図である。
図６において、圧縮機が起動して停止するまでの運転サイクルをそれぞれサイクル１、サイクル２、サイクル３、サイクル４及びサイクル５の５つに分けて説明する。
サイクル１、サイクル４及びサイクル５は、扉が閉じたままであり外気侵入などがなく、負荷が加わっていない。サイクル２は、扉が開放されて外気が庫内に侵入し、負荷が加わっている。また、サイクル３は、サイクル２から引き続いて扉が開放されており負荷が加わっているが、サイクル３の途中で扉が閉じられて負荷が加わらなくなっている。
【００６２】
（サイクル１）
サイクル１は、図５のサイクル１と同様であり、扉が閉じたままで外気侵入などがなく、負荷が加わっていない。このため、図５のサイクル１の波形と同じである。
【００６３】
（サイクル２）
サイクル２であるが、図５の場合よりも大きい負荷が加わるため、圧縮機速度がＣ６速まで達しても冷凍室温度センサー５３の検出温度が下がりきらず、Ｃ９速まで達したのちに冷凍室温度センサー５３の検出温度ＴｆがＴｏｆｆに達し、圧縮機が停止する。
ここで、圧縮機速度がＣ４速からＣ５速へ移行する時間、Ｃ５速からＣ６速へ移行する時間、及びＣ６速からＣ７速へ移行する時間は、たとえば６０分に設定する。また、Ｃ７速からＣ８速へ移行する時間、Ｃ８速からＣ９速へ移行する時間、及びＣ９速からＣ１０速へ移行する時間は、たとえば３０分としている。
【００６４】
ここで、Ｃ６速（低負荷ランク）まででサイクルが終了し、圧縮機が停止する場合を低負荷状態と定義する。また、低負荷ランクではサイクルが終了せず、Ｃ７速以上（高負荷ランク）まで達する場合を高負荷状態と定義する。
Ｃ７速以上での圧縮機変速時間を６０分ではなく、３０分と早めに設定しているのは、Ｃ７速を負荷の閾値としているためである。すなわち、高負荷状態である場合には、低負荷状態と比較すると、冷凍室貯蔵品温度の上昇の幅が大きくなることが想定されるため、冷却能力を上げている。これを受けて、圧縮機２５の速度を高め、吹き出し冷気温度を下げてなるべく早く貯蔵品を冷し（温度上昇を抑制する）、低負荷状態よりも早く変速させることとしている。
このように、冷凍冷蔵庫１００は、サイクル２における圧縮機２５の運転開始から運転停止までの運転状態の中での負荷状態に基づいて、圧縮機２５の速度を決定する負荷対応処理を実施することができる。
【００６５】
（サイクル３）
サイクル２の圧縮機停止直前では、冷凍室温度センサー５３の検出温度ＴｆはＴｏｆｆまで達するまで冷えるが、冷凍室貯蔵品は冷凍室温度センサー５３よりも熱容量が大きいため元の温度（サイクル１の圧縮機停止直前温度）までは下がらない。
そこで、サイクル３では、低負荷状態の運転から高負荷状態の運転へ切り換えられる。具体的には、圧縮機起動速度を、図５のサイクル２の圧縮機起動速度であるＣ４速（低負荷状態）よりも大きくしている。すなわち、サイクル３の圧縮機起動速度は、Ｃ４速ではなく、Ｃ６速に切り換えられ、圧縮機起動時から冷却能力を上げることで貯蔵品温度の上昇を抑制させている。
サイクル３の途中で冷凍冷蔵庫にかかる負荷がなくなるが、このサイクルでもＣ７速以上まで達しているため、次回サイクル４でも圧縮機起動時の速度はＣ６速となっている。
ここでサイクル４の圧縮機運転時間は１２０分であり、所定の時間、たとえば１３０分を超えていないためサイクル５の圧縮機起動速度は低負荷時のＣ４速に戻る。
【００６６】
（サイクル４）
サイクル３において、高負荷状態の運転に切り換えられているので、サイクル４の圧縮機起動速度もＣ６速である。図６では、Ｃ８速に至った後に、冷凍室温度センサー５３の検出温度ＴｆがＴｏｆｆに達して圧縮機が停止する。
【００６７】
（サイクル５）
制御部１２は、各サイクルにおける圧縮機の運転時間を計測している。サイクル４における運転時間が、予め設定された所定の時間よりも短いため、制御部１２は、高負荷状態から低負荷状態の運転を切り換える。このため、サイクル５では、圧縮機起動速度がＣ４速となっている。
【００６８】
図７は、実施の形態１に係る速度制御を実施せず、大きな負荷が生じた場合における圧縮機速度、冷凍室温度センサー５３の検出温度Ｔｆ、及び冷凍室に保存される貯蔵品の温度の時間変化である。すなわち、図７は、図６と同様に冷凍冷蔵庫に大きな負荷が生じているが、図６とは異なり速度制御を実施しない場合の説明図である。
図７において、サイクル１及びサイクル２は、図６と同じである。
サイクル３では、圧縮機起動速度がＣ４速であり、このＣ４速から速度が上げられていく。このため、サイクル３の初期での冷凍能力が足りず、貯蔵品温度がサイクル２の最高温度よりも上昇してしまっている。
さらに、サイクル４でも、圧縮機起動速度はＣ４速であるため、ここでも冷凍能力足りず貯蔵品温度は図６のサイクル４のときと比較すると高く、サイクル１における温度程度まで復帰するのに時間がかかる。
【００６９】
なお、本実施の形態１にて説明した表１の圧縮機速度は、冷凍冷蔵庫の容量や形態によって熱漏洩が異なることから、それに応じて数値自体を変更してもよい。また、表１の速度段階についても、１０段階（Ｃ１速〜Ｃ１０速）まで設けたが、適宜段階を減らしてもよいし、増やしてもよい。
また、本実施の形態１では、圧縮機速度が段階的に変化する場合を例に説明したが、それに限定されるものではなく、圧縮機速度が傾斜的に変化するものであってもよい。
【００７０】
また、本実施の形態１では、表３に示すように、閾値以上及び閾値未満の合計２段階で、それぞれの温度ランクの速度を変更可能としているが、それに限定されるものではない。たとえば、２つ以上の閾値を設け、合計３段階で、それぞれの温度ランクの速度を変更してもよい。これにより、よりきめ細やかに圧縮機の起動速度の調整が可能となる。
さらに、本実施の形態１では、表４に示すような変速時間である場合を例に説明したが、それに限定されるものではなく、冷凍冷蔵庫の容量や形態などによって変更してもよい。
【００７１】
［圧縮機起動速度の決定方法の変形例］
図８は、図４の圧縮機起動速度の決定方法の変形例である。図８は、図４のステップＳ１１、Ｓ１５、Ｓ２１、Ｓ２５、Ｓ３１、及びＳ３５を、ステップＳ１１−１、Ｓ１５−１、Ｓ２１−１、Ｓ２５−１、Ｓ３１−１、及びＳ３５−１としている。
すなわち、図８の決定方法では、温度ランクがＨ設定、Ｍ設定、又はＬ設定であるかに応じて、圧縮機２５の到達速度の判定条件が異なっている。
これは、たとえばＨ設定、外気温度が２０℃未満であるときに、低負荷ではＣ１速から起動するが、Ｃ１速からの起動であるとＣ７速まで達する時間が長くなってしまうことを考慮したためである。
外気温度が低ければ熱漏洩量が低いので、比較的低速でも十分に冷却できるのであるが、冷凍冷蔵庫１００に搭載される真空断熱パネル１３の仕様や、圧縮機２５の能力、冷凍冷蔵庫１００の庫内容積などで低外気でも比較的早めに圧縮機２５の速度を上げる必要がある場合に設定を変更してもよい。
【００７２】
［実施の形態１に係る冷凍冷蔵庫１００の有する効果］  
本実施の形態１に係る冷凍冷蔵庫１００は、発生している負荷が低負荷である場合は圧縮機２５の速度を抑えて省エネルギー性を優先することができ（図５参照）、発生している負荷が高負荷である場合は圧縮機２５の速度を高めに設定して貯蔵品温度の上昇抑制を優先することができる。また、冷凍冷蔵庫１００は、ＰＩＤ制御などのように複雑なプログラムを要せず、コストアップ抑制も可能である。
すなわち、本実施の形態１に係る冷凍冷蔵庫１００は、コストアップ抑制及び低消費電力化を実現しながら、熱負荷が発生した際における貯蔵品の温度上昇を安定的に抑制することができる。
【００７３】
実施の形態２．
本実施の形態２では、実施の形態１との相違点を中心に説明するものとする。実施の形態１では「圧縮機２５の到達速度」に基づいて圧縮機起動速度を決定していたが、本実施の形態２では「送風ファン２４の到達速度」に基づいて送風ファン起動速度を決定する。すなわち、実施の形態１に係る圧縮機２５の制御方法が、本実施の形態２に係る送風ファン２４の制御方法に対応している。
なお、本実施の形態２では、冷凍冷蔵庫１００の部屋配置、構成などは実施の形態１と同じであるので省略する。
【００７４】
［送風ファン２４の動作について］
表５は、実施の形態１の表１に対応しており、圧縮機２５の速度の代わりに、送風ファン２４の速度（回転数）が設定されている。
表６は、実施の形態１の表３に対応する表であり、外気温度センサー１０の検出温度が閾値以上であるか未満であるか、及び、温度ランク（Ｈ、Ｍ、Ｌ）によって送風ファン２４の起動速度が異なることを示している。なお、実施の形態２においても、一例として閾値を２０℃としている。
表７は、実施の形態１の表４に対応する表であり、温度ランク（Ｈ、Ｍ、Ｌ）及び速度ランク（Ｍ１〜Ｍ１０）に応じて送風ファン２４の変速時間が異なることを示している。
【００７５】
【表５】
2014031947.tif 000007
【００７６】
【表６】
2014031947.tif 000008
【００７７】
【表７】
2014031947.tif 000009
【００７８】
［送風ファン起動速度の決定方法について］
図９は、実施の形態２に係る送風ファン起動速度の決定方法のフローチャートである。実施の形態２の図９は、圧縮機２５の速度を、送風ファン２４の速度とした点でのみ実施の形態１の図４と異なっており、その他については同様である。
すなわち、ステップＳ０〜ステップＳ３８は、ステップＴ０〜ステップＴ３８に対応しており、圧縮機２５の速度を、送風ファン２４の速度と置き換えたということである。
【００７９】
［負荷による送風ファン起動速度の変化］
図１０は、小さな負荷が生じた場合における送風ファン速度、冷凍室温度センサーの検出温度Ｔｆ、及び冷凍室に保存される貯蔵品の温度の時間変化である。図１１は、大きな負荷が生じた場合における送風ファン速度、冷凍室温度センサーの検出温度Ｔｆ、及び冷凍室に保存される貯蔵品の温度の時間変化である。図１２は、実施の形態２に係る速度制御を実施せず、大きな負荷が生じた場合における送風ファン速度、冷凍室温度センサーの検出温度Ｔｆ、及び冷凍室に保存される貯蔵品の温度の時間変化である。
図１０〜図１１は、実施の形態１の図５〜図７に対応しており、圧縮機２５の速度を、送風ファン２４の速度とした点でのみ実施の形態１の図５〜図７と異なっており、その他については同様である。
【００８０】
［送風ファン起動速度の決定方法の変形例］
図１３は、図９の圧縮機起動速度の決定方法の変形例である。図１３は、図９のステップＴ１１、Ｔ１５、Ｔ２１、Ｔ２５、Ｔ３１、及びＴ３５を、ステップＴ１１−１、Ｔ１５−１、Ｔ２１−１、Ｔ２５−１、Ｔ３１−１、及びＴ３５−１としている。
すなわち、実施の形態１の図４を図８に変形したのと同様に、実施の形態２の図９を図１３としている。すなわち、図１３は、温度ランクがＨ設定、Ｍ設定、又はＬ設定であるかに応じて、送風ファン２４の到達速度の判定条件が異なっている。
【００８１】
［実施の形態２に係る冷凍冷蔵庫の有する効果］  
本実施の形態２に係る冷凍冷蔵庫は、圧縮機２５の代わりに送風ファン２４の速度を制御することによっても、実施の形態１に係る冷凍冷蔵庫１００と同様の効果を奏する。
【００８２】
実施の形態３．
本実施の形態３では、実施の形態１、２との相違点を中心に説明するものとする。実施の形態３では、圧縮機２５と送風ファン２４のそれぞれの速度ランクを一体として扱い、次回起動時の一体速度ランクを決定する。
従来から冷凍冷蔵庫の庫内貯蔵品の温度上昇を抑制するにあたり、圧縮機の速度だけで対応する技術が提案されている。冷気の吹き出し温度を下げる（＝圧縮機の速度を高くして冷却器の温度を下げる）ことと、冷気の吹き出し風量を上げる（＝庫内ファンの速度を高くして庫内冷気の循環風量を上げる）ことの両方を実施することで、貯蔵品の温度上昇を抑制する、つまりは貯蔵品と冷気の熱交換を促進させることが可能である。すなわち、実施の形態１、２では、圧縮機２５と送風ファン２４と速度とは独立した制御方法を採用していたが、実施の形態３では、圧縮機２５と送風ファン２４とが一体の速度段階が設定されている。
なお、本実施の形態３では、冷凍冷蔵庫の部屋配置、構成などは実施の形態１と同じであるので省略する。
【００８３】
［圧縮機２５及び送風ファン２４の動作について］
表８は、実施の形態１の表１及び実施の形態２の表５に対応するものであり、圧縮機２５の速度及び送風ファン２４の速度に応じた速度ランクＭ１〜Ｍ１０が設定されている。
表９は、実施の形態１の表３及び実施の形態２の表６に対応する表であり、外気温度センサー１０の検出温度が閾値以上であるか未満であるか、及び、温度ランク（Ｈ、Ｍ、Ｌ）によって、圧縮機２５の起動速度及び送風ファン２４の起動速度が異なることを示している。なお、実施の形態３においても、一例として閾値を２０℃としている。
表１０は、実施の形態１の表４及び実施の形態２の表７に対応する表であり、温度ランク（Ｈ、Ｍ、Ｌ）及び一体速度ランク（Ｍ１〜Ｍ１０）に応じて、圧縮機２５及び送風ファン２４の変速時間が異なることを示している。
【００８４】
【表８】
2014031947.tif 000010
【００８５】
【表９】
2014031947.tif 000011
【００８６】
【表１０】
2014031947.tif 000012
【００８７】
なお、制御フローチャートなどは、実施の形態１、２と同じであり、圧縮機速度と同期して送風ファン速度も変速していくものである。
【符号の説明】
【００８８】
１  冷蔵室、２  製氷室、３  切替室、４  冷凍室、５  野菜室、６  断熱仕切り壁、７  冷蔵室扉、８  温度操作パネル、９  基板、１０  外気温度センサー、１１  上側ヒンジ装置部、１２  制御部、１３  真空断熱パネル、１４  製氷室ケース、１５  切替室ケース、１６  ファングリル、１７  内箱、１８  冷却器、１９  除霜ヒーター、２０  排水管、２１  蒸発皿、２２  下部大型貯蔵ケース、２３  上部浅底ケース、２４  送風ファン、２５  圧縮機、２６  冷蔵室用ダンパー装置、２７  切替室用ダンパー装置、２８  断熱材、２９  下部収納ケース、３０  上部収納ケース、３１  冷蔵室戻り風路、４３〜４５  棚、４６  小物収納ケース、４７  コントロールパネル、４８  樹脂部品、４９  発泡ダクト部品、５０  ダクト部、５１  温度センサー、５２  切替室温度センサー、５３  冷凍室温度センサー、５４  ボタン、５５  ボタン、５６  風路孔、５７  ポケット、１００  冷凍冷蔵庫。
【図１】
2014031947.tif 000013
【図２】
2014031947.tif 000014
【図３】
2014031947.tif 000015
【図４】
2014031947.tif 000016
【図５】
2014031947.tif 000017
【図６】
2014031947.tif 000018
【図７】
2014031947.tif 000019
【図８】
2014031947.tif 000020
【図９】
2014031947.tif 000021
【図１０】
2014031947.tif 000022
【図１１】
2014031947.tif 000023
【図１２】
2014031947.tif 000024
【図１３】
2014031947.tif 000025